(57)【要約】      （修正有）【課題】広告文字・絵柄等を蛍光ペンで筆記でき、それらが夜目にも鮮やかな光輝色を発現するとともに持ち運びや取り付けが簡単にできる薄型のコードレス電飾看板を提供する。【解決手段】蛍光ペンで筆記可能な二枚の透明アクリル板と、透明アクリル板相互の間に介装した黒の仕切りシートからなるボードの周縁を方形の枠体３で囲繞し、枠体内部にＬＥＤ素子の光源４を配置する。光源は枠体に取り付けた電池５を電源とし、枠体上部にオン・オフスイッチ７が設けられている。【選択図】図１
0003159392.tif 000002
【実用新案登録請求の範囲】
【請求項１】
蛍光ペンで筆記可能な二枚の透明アクリル板と、透明アクリル板相互の間に介装した黒の仕切りシートからなるボードの周縁を方形の枠体で囲繞し、枠体の片側若しくは両側内部にＬＥＤ素子の光源を配置して構成したコードレス電飾看板であって、前記光源が枠体に取り付けた電池を電源とし、枠体上部にオン・オフスイッチが設けられたものであることを特徴とするコードレス電飾看板。
【請求項２】
蛍光ペンで筆記可能な透明アクリル板と、筆記と消去が可能な筆記板を密接して形成したボードの周縁を方形の枠体で囲繞し、枠体の片側若しくは両側内部にＬＥＤ素子の光源を配置して構成したコードレス電飾看板であって、前記光源が枠体に取り付けた電池を電源とし、枠体上部にオン・オフスイッチが設けられたものであることを特徴とするコードレス電飾看板。
【請求項３】
電池が扁平形状で基板とともに枠体下部に内蔵され、消耗した電池が充電器によって繰り返し使用できるものであることを特徴とする請求項１又は２記載のコードレス電飾看板。
【考案の詳細な説明】
【技術分野】
【０００１】  本考案は看板の文字・絵柄などを手書き式としたコードレス電飾看板に関する。
【背景技術】
【０００２】  ＬＥＤを光源として変化に富んだ照明看板とする技術は多岐にわたっている（例えば特許文献１〜３参照）。それらは街頭や道路などに設置する看板であったり、軽量薄型をメインとしたものや、工事現場や建設現場用の保安標識等に関するものとなっている。
【先行技術文献】
【特許文献】
【０００３】
【特許文献１】特開２００９−１６３０１６号公報
【特許文献２】実用新案登録第３０６９２６１号公報
【特許文献３】実用新案登録第３１５６２３３号公報
【考案の概要】
【考案が解決しようとする課題】
【０００４】  夜などの暗い場所でも少ない電力で鮮明に表示できることを特徴とした特許文献１の看板は、表示パネルと、その表示パネルをライトアップさせることができる面状光源で構成され、面状光源は、板状体で周縁部の一部が厚く、他方の側が薄くなるように断面テーパ状に形成された導光板が表示パネルを覆うように設けられていることを特徴としている。この看板は光源と導光板が一体であり、面状光源は当然ながら表示パネルの片側にのみ配置されているため面状光源側は看板としての広告宣伝用に供することはできない。【０００５】  特許文献２にはＬＥＤ投射式の電気看板が記載されている。この技術は薄型で組立便利な構造を主旨としたものであり、図案を彫刻した透光プレートを、ＬＥＤランプを並べたパイプの設置プレートに固定する手段を採っている。この看板は図案が透光プレートに彫刻されているので、透光プレートを可及的薄くすることはできるが、図案作製に彫刻作業が必要になるのと、一旦彫刻した図案は任意に変更できないため広告宣伝用としての使用範囲が自ずから限定されるという制約がある。【０００６】  多目的フルカラーＬＥＤ看板に関する特許文献３は、各色のＬＥＤからなるＬＥＤ基板をパーテーションと一体的に構成したものであり、既存の看板などと組み合わせることで様々な情報を動画面で表示することができ比較的大型の看板には妥当するものの、日替わりメニューのように看板表示を短いサイクルで変更するようなものには適さないという問題がある。【０００７】  本考案はこのような従来技術に鑑みて創案されたもので、表裏いずれの面にも宣伝広告用の文字・絵柄などを手軽に表示でき、それらが色彩豊かで動的に視認できるように構成するとともに、全体の移動が簡単で薄型に形成されたものであるコードレス電飾看板を提供することを意図している。
【課題を解決するための手段】
【０００８】  すなわち本考案は、蛍光ペンで筆記可能な二枚の透明アクリル板と、透明アクリル板相互の間に介装した黒の仕切りシートからなるボードの周縁を方形の枠体で囲繞し、枠体の片側若しくは両側内部にＬＥＤ素子の光源を配置して構成した電飾看板であって、前記光源が枠体に取り付けた電池を電源とし、枠体上部にオン・オフスイッチが設けられたものであることを特徴とするコードレス電飾看板を主旨とする。【０００９】  蛍光ペンで筆記可能な透明アクリル板と、筆記と消去が可能な筆記板を密接して形成したボードの周縁を方形の枠体で囲繞し、枠体の片側若しくは両側内部にＬＥＤ素子の光源を配置して構成した電飾看板であって、前記光源が枠体に取り付けた電池を電源とし、枠体上部にオン・オフスイッチが設けられたものであることを特徴とする。【００１０】  電池が扁平形状で基板とともに枠体下部に内蔵され、消耗した電池が充電器によって繰り返し使用できるものであることを特徴とする。
【考案の効果】
【００１１】  透明アクリル板に蛍光ペンを用いて文字・図柄を描くと、スイッチオンされた光源からの発光がアクリル板を透って蛍光ペンの色彩を鮮やかに浮かび上がらせる。透明アクリル板相互の間に介装した黒の仕切りシートによって夫々の表面に描かれた文字が光りの反射を受けるためであり、文字が蛍光ペンの色彩とＬＥＤ素子の発光色と相まって多様な光輝色となって発現する。【００１２】  ＬＥＤ素子の光源は電池を電源とするものであるから従来用いられるような長尺の接続コードを必要とせず、シンプルな形態のため持ち運びが容易でどこにでも移動できる。電池は外付けでも内蔵型でも可能であり、扁平形状のものを用いることでボードの厚みに殆ど影響することもなく看板全体を可及的薄型にすることができる。【００１３】  片方にアクリル板、他方に筆記板を配置した看板では、例えば夜間には点灯した光源からの発光でアクリル板の文字を浮かび上がらせることで広告宣伝文を認識でき、日中は太陽光の下で筆記板に描いた文字を目視することで広告文を認識でき、したがって昼夜間のいずれも宣伝広告効果を発揮できる。【００１４】  長期間使用して電池が消耗しても、充電器を用いることによって電池は回復するためＬＥＤ素子の発光にいささかも影響することはなく、交換のための電池の取り出しや取り付け作業に腐心する煩わしさも生じない。
【図面の簡単な説明】
【００１５】
【図１】本案コードレス電飾看板の正面図である。
【図２】同上の平面図である。
【図３】ボードの平面図である。
【図４】（ａ）はボードの一方の面を示す正面図、（ｂ）は他方の面を示す正面図である。
【図５】本案の他の例に用いられるボードを示し（ａ）は正面図、（ｂ）は平面図である。
【考案を実施するための形態】
【００１６】  図１〜図３に示したように、本案電飾看板Ａは二枚の透明アクリル板１ａ・１ｂと、該アクリル板相互の間に介装した黒の仕切りシート２からなるボード１の周縁を方形の枠体３で囲繞した構成を採る。そして枠体３の片側にはＬＥＤ素子の光源４が配置されていて、この光源からの光りが図３のように二枚の透明アクリル板１ａ・１ｂに進入する。
【００１７】  枠体３には下部内側にリチュームイオン、リチュームポリマー等からなる扁平形状の電池５が基板６とともに内蔵され、枠体３上部に設けたオン・オフスイッチ７をプッシュすることにより光源４は点灯したり消灯する。扁平形状とした電池５は枠体３の内部に容易に納まり電飾看板Ａ全体は枠体３の厚みである数ｍｍの範囲内ですみ可及的薄く形成できる。
【００１８】  光源４の点滅動作は周知の電気的制御手段によるが、点滅の動きに変化を持たせるためにオン・オフスイッチ７の近傍に進退スイッチ８を設けることで光源からの発光が前進・後退する動きとすることができ一層人目を惹く照明となる。
【００１９】  図４（ａ）は片方の透明アクリル板１ａに蛍光ペン（不図示）で品書きの文字表示９ａを書き込んだ例を示し、（ｂ）は同様に他方のアクリル板１ｂにおすすめメニューの文字表示９ｂを書き込んだ例を示している。二枚の透明アクリル板１ａ・１ｂには文字表示だけでなく風景・動物などの絵柄を自由に書き込みできること勿論であり、必要な情報をその都度二方向から目視することにより広告宣伝効果の充実が図られる。黒の仕切りシート２が存在するため片方の面から他方の面が透視されることはなく夫々の表面に描かれた文字表示ははっきりと認識される。
【００２０】  図５においてボード１０は片方を蛍光ペンで筆記可能な透明アクリル板１１ａとし、他方をマジックペンなどの筆記具で筆記及び消去が可能な筆記板１１ｂで構成した実施形態を示している。この場合もボード１０の周縁は方形の枠体で囲繞し、枠体の片側若しくは両側内部にＬＥＤ素子の光源を配置することと、この光源が枠体に取り付けた電池を電源とすることは前記図１に述べた構成と同じであるためそれらの図は省略した。
【００２１】  この例ではボード１０の片方は透明アクリル板１１ａであるため光源からの光りはアクリル板１１ａには進入するが筆記板１１ｂに及ぶことはなく（但し筆記板１１ｂが黒系統色であるかアクリル板１１ａと接する面が黒色であることは必要）、ボード１０の片方のみ光源からの光りの点滅によってピカピカと発色する。夜間ではＬＥＤ素子の光りによって蛍光ペンで書かれた文字・絵柄は鮮やかな色彩で視認されるが、日中太陽光の下で使用する看板は蛍光ペンにはなじまないので、黒板に文字を描く要領で白墨やマジックペンなどの消去可能な筆記具を用いて筆記板１１ｂに筆記する。日が射している時間帯にはこの筆記板１１ｂに示すように「只今準備中」などと書き込むと客には普通の看板のように目視されてそれなりの効果を発揮し、夜間には看板を裏返してアクリル板１１ａに蛍光ペンを用いて書き込むことで図１に示す看板と同様の使用ができる。
【００２２】  図１例示のように電池５は枠体３に内蔵しているが、このように内蔵型だけでなく外付けとすることもできる。いずれであっても電池は長期使用中に消耗するが、充電器によって回復させることで繰り返しの使用が可能となるものである。
【００２３】  上記した実施形態中でボード１・１０に透明アクリル板１ａ・１１ａを使用するとしているが、同じ効果を奏するものであれば特に材質に限定されることはなく、ボードが大型になると光り具合が片側だけでは不十分になるおそれがあるので、そのときは光源４を枠体３の両側２カ所に取り付けることが望まれる。その他オン・オフスイッチ７の取り付け位置のように構成上任意な変更が可能なものはそれらも本考案の実施範囲に属し、また枠体３の上部に紐掛け具を設けて全体を吊り下げ状に取り付けることなども本考案の想定内であり、更にはアダプタを付けて電池に接続するなどの手段は一般的なものであるためこれらも図及び詳細説明を省略した。しかして本案電飾看板は本出願人の登録第３１５２３４０号の実用新案を発展させたことを特徴とし、コードレスで且つ薄型であるためどこにでも移動可能なことを鮮明にしたものであって、図示はしないが枠体３にリモコン受光部を設け、スイッチタッチのほかリモコンを使って離れた位置からの操作も可能となるものであるが、これらも本考案の自由な実施の範疇に属すること勿論である。
【符号の説明】
【００２４】Ａ    電飾看板
１    ボード
１ａ・１ｂ  アクリル板
２    仕切りシート
３    枠体
４    光源
５    電池
６    基板
７    オン・オフスイッチ
１０  ボード
１１ａアクリル板
１１ｂ筆記板
【図１】
0003159392.tif 000003
【図２】
0003159392.tif 000004
【図３】
0003159392.tif 000005
【図４】
0003159392.tif 000006
【図５】
0003159392.tif 000007